(57)【要約】 【課題】  ナビゲーション本体から放射される電磁波が、ガラス部等に設置されたアンテナによって受信されることを防止することができる再生装置を提供する。【解決手段】  フロントガラスにアンテナが設けられるオーディオ機器と、記録媒体の再生装置とを含む電子機器が収容され、記録媒体を再生装置に挿入および排出するための開口部４ａ，４ｂが形成されるナビゲーション本体２と、ナビゲーション本体２の開口部４ａ，４ｂが形成されるナビゲーション本体２の前面７に対向する位置に設置されるディスプレイ３とを備え、フロントガラスの下方にあるダッシュボードに搭載され、開口部４ａ，４ｂが形成されるナビゲーション本体２の前面７に対向するディスプレイ３の対向面には、開口部４ａ，４ｂから放射される電磁波がアンテナに到達することを防止する凸部５ａ，５ｂが設けられる。【選択図】      図４
2010241355.tif 000002
【特許請求の範囲】
【請求項１】
記録媒体が挿排される挿排口を有するとともに、該挿排口に挿入された記録媒体を再生する再生機器本体と、
再生機器本体からの再生出力を表示する表示部とを備え、アンテナの直下部に配置される再生装置であって、
前記表示部は、再生機器本体の再生状態において、再生機器本体の挿排口に当接して挿排口からの電磁波の漏れを遮断する電磁波遮断部材を備えていることを特徴とする再生装置。
【請求項２】
前記再生機器本体の挿排口が形成される面に、前記再生機器本体内からの電磁波を反射する反射部が形成されることを特徴とする請求項１に記載の再生装置。
【発明の詳細な説明】
【技術分野】
【０００１】
本発明は、ナビゲーション本体から上方に放射される電磁波が、ガラス部等に設置されたアンテナによって受信されることを防止することができる再生装置に関する。
【背景技術】
【０００２】
図１は、従来の可動ディスプレイ付きのナビゲーション装置７１の外観を示す斜視図であり、図２は、ナビゲーション装置７１の正面図および側面図である。図１（ａ）および図２（ａ）は、ディスプレイ７３がナビゲーション装置７１の前面側下部に移動した状態を示す図である。図１（ｂ）および図２（ｂ）は、ディスプレイ７３が移動してナビゲーション本体７２の前面側に配置された状態を示す図である。図１（ａ）および図２（ａ）に示すように、記録媒体であるＣＤ(Compact disc)またはＤＶＤ(Digital versatile
disc)は、ナビゲーション本体７２の前面に設けられた開口部７４ａ，７４ｂから挿入または排出される。ＣＤまたはＤＶＤがナビゲーション本体７２に挿入または排出されるときには、ディスプレイ７３はスライドしてナビゲーション本体７２の前面側下部に配置される。
【０００３】
ＣＤまたはＤＶＤの挿入または排出が終了すると、図１（ｂ）および図２（ｂ）に示すように、ディスプレイ７３は、ナビゲーション本体７２の開口部７４ａ，７４ｂが形成される前面側に移動する。ディスプレイ７３は、ナビゲーション本体７２の前面７７とディスプレイ７３の裏面７８とが一定の間隔を置いた状態で、ナビゲーション本体７２の前面側に配置される。
【０００４】
特許文献１には、筐体の内部で発生する電磁波が筐体の外部に放射することを防止するために、筐体の開口部に扉を設けて開口部と扉とを被接触な状態で閉鎖して、導電性を有する開口部の表面と扉の表面とによってコンデンサを構成することが開示されている。開口部の表面と扉の表面とは等電位となり、筐体および扉を流れる電流分布は等しくなるので電磁波が発生しにくくなる。
【０００５】
特許文献２には、筐体の開口部を２以上の領域に分割して、内部で発生した問題となる周波数帯域のノイズを、分割された開口部から放射させることによって問題のない周波数帯域のノイズに変化させることが開示されている。開口部は、導電性部材によって２以上の領域に分割される。
【０００６】
特許文献３には、記録媒体の挿入口からノイズが外部に漏れることを防止するために、ＣＤが挿入される開口から埃が浸入することを防止する防塵カバーを導電性材料で製作して、導電性を有する防塵カバーと導電性材料からなる筐体とを電気的に接続することが開示されている。
【先行技術文献】
【特許文献】
【０００７】
【特許文献１】特開２００１−２８４８７３号公報
【特許文献２】特開２００５−３２７４１２号公報
【特許文献３】特開平８−２９３６９０号公報
【発明の概要】
【発明が解決しようとする課題】
【０００８】
図２（ｂ）に示すように、ディスプレイ７３がナビゲーション本体７２と一定の間隔を置いてナビゲーション本体７２の前面側に配置された状態では、開口部７４ａ，７４ｂから放射された電磁波は、ディスプレイ７３裏面の金属板７８で反射される。金属板７８で反射された電磁波は、四方に散乱および放射される。
【０００９】
図３は、ナビゲーション装置７１が車両９０に搭載された状態を示す図である。ナビゲーション装置７１は、ダッシュボード９１に設置され、ラジオ放送あるいはテレビジョン放送などの電波を受信するためアンテナは、フロントガラス９２などのガラス部などに設置されている。すなわち、アンテナは、ナビゲーション装置７１の上方に位置している。
【００１０】
ナビゲーション装置７１が設置されているダッシュボード９１の上部方向に反射された電磁波は、フロントガラス９１に設置されているアンテナに到達する。アンテナに到達する電磁波の帯域がラジオ放送あるいはテレビジョン放送の電波と同じ帯域の場合には、ラジオあるいはテレビジョンの受信状態が悪くなる。
【００１１】
特許文献１〜３には、いずれも電磁波の発生を抑制することが開示されているが、ナビゲーション本体から放射される電磁波がディスプレイ裏面で反射され、ガラス部等に設置されたアンテナによって受信されることを防止することについては開示されていない。
【００１２】
本発明の目的は、ナビゲーション本体から放射される電磁波が、ガラス部等に設置されたアンテナによって受信されることを防止することができる再生装置を提供することである。
【課題を解決するための手段】
【００１３】
本発明（１）は、記録媒体が挿排される挿排口を有するとともに、該挿排口に挿入された記録媒体を再生する再生機器本体と、
再生機器本体からの再生出力を表示する表示部とを備え、アンテナの直下部に配置される再生装置であって、
前記表示部は、再生機器本体の再生状態において、再生機器本体の挿排口に当接して挿排口からの電磁波の漏れを遮断する電磁波遮断部材を備えていることを特徴とする再生装置である。
【発明の効果】
【００１４】
本発明（１）によれば、再生装置は、記録媒体が挿排される挿排口を有するとともに、該挿排口に挿入された記録媒体を再生する再生機器本体と、再生機器本体からの再生出力を表示する表示部とを備え、アンテナの直下部に配置される。前記表示部は、再生機器本体の再生状態において、再生機器本体の挿排口に当接して挿排口からの電磁波の漏れを遮断する電磁波遮断部材を備えているので、ナビゲーション本体から放射される電磁波が、ガラス部等に設置されたアンテナによって受信されることを防止することができる。
【図面の簡単な説明】
【００１５】
【図１】従来の可動ディスプレイ付きのナビゲーション装置７１の外観を示す斜視図図である。
【図２】ナビゲーション装置７１の正面図および側面図である。
【図３】ナビゲーション装置７１が車両９０に搭載された状態を示す図である。
【図４】本発明の実施の第１の形態であるナビゲーション装置１を説明するための概略図である。
【図５】本発明の実施の第２の形態であるナビゲーション装置１１を説明するための概略図である。
【図６】本発明の実施の第３の形態であるナビゲーション装置２１を説明するための概略図である。
【図７】本発明の実施の第４の形態であるナビゲーション装置３１を説明するための概略図である。
【図８】本発明の実施の第５の形態であるナビゲーション装置４１を説明するための概略図である。
【発明を実施するための最良の形態】
【００１６】
図４は、本発明の実施の第１の形態であるナビゲーション装置１を説明するための概略図である。図４（ａ）は、ディスプレイ３がナビゲーション本体２の前面側下部に移動した状態を示す図である。再生装置であるナビゲーション装置１は、ナビゲーション本体２およびディスプレイ３を含んで構成されている。ナビゲーション装置１は、車両などに設けられるアンテナの直下部に配置される。
【００１７】
再生機器本体であるナビゲーション本体２の前面は、導電性を有する金属板などで覆われており、前面７にはＣＤ(Compact disc)あるいはＤＶＤ(Digital versatile disc)などの記録媒体の挿入および排出を行うための挿排口である開口部４ａ，４ｂが上下２箇所に設けられる。スライドして移動した表示部であるディスプレイ３は、導電性を有する金属板などで覆われており、ディスプレイ３の背面６がナビゲーション本体２の下方に向き、ディスプレイが表示される表示面９はナビゲーション本体２の上方に向く。背面６には、導電性部材である導電性を有する金属片であって電磁波遮断部材である凸部５ａ，５ｂが設けられる。
【００１８】
図４（ｂ）は、ディスプレイ３が移動してディスプレイ３の背面６がナビゲーション本体２の前面７に対向する位置に配置された閉じた状態を示す図である。ＣＤあるいはＤＶＤなどの記録媒体の挿入および排出が終了すると、ディスプレイ３は、ディスプレイ３の背面６がナビゲーション本体２の前面７に対向する位置に配置されるように移動する。ナビゲーション本体２の前面開口部４ａは、ディスプレイ３の背面６に形成された凸部５ａによって覆われ、前面開口部４ｂは、ディスプレイ３の背面６に形成された凸部５ｂによって覆われる。図４（ｃ）は、凸部５ａ，５ｂによって覆われる開口部４ａ，４ｂ周辺の領域を示す図である。凸部５ａ，５ｂの表面８ａ，８ｂの周縁部が、開口部４ａ，４ｂの周囲の領域に当接することによってナビゲーション本体２の前面７と凸部５ａ，５ｂに形成される表面８ａ，８ｂとの間から電磁波が漏れることを防止することができる。表面８ａ，８ｂは、開口部４ａ，４ｂの周囲の領域を含んだ広さを持った長方形である。
【００１９】
ＣＤあるいはＤＶＤなどの記録媒体を挿入あるいは排出するとき、ディスプレイ３は、図１（ｂ）に示したように、開口部４ａ，４ｂが露出した状態になるが、ナビゲーション本体２は、動作を停止しており、電磁波は発生しない。ＣＤあるいはＤＶＤなどの記録媒体の挿入あるいは排出が終了し、ディスプレイ３が開口部４ａ，４ｂを覆ったとき、ナビゲーション本体２は動作を開始し、電磁波が発生する。しかし、このとき、凸部５ａ，５ｂが開口部４ａ，４ｂに当接して、開口部４ａ，４ｂを塞いでいるので、電磁波は、開口部４ａ，４ｂから漏れることはない。
【００２０】
したがって、ナビゲーション本体２の内部に配置された図示しないオーディオ機器と、記録媒体の再生装置とを含む電子機器から発生する電磁波が、開口部４ａ，４ｂからナビゲーション本体２の外部に放射されることを遮断することができるので、ナビゲーション装置１が搭載されるダッシュボードの上部のガラス部等に設置されたフィルムアンテナなどのアンテナが該電磁波を受信することを防止することができる。
【００２１】
図５は、本発明の実施の第２の形態であるナビゲーション装置１１を説明するための概略図である。図４について説明した部分と重複する部分については説明を省略する。図５（ａ）は、ディスプレイ１３がナビゲーション本体１２の前面側下部に移動した状態を示す図である。ディスプレイ１３の背面１６には、導電性部材である導電性を有する金属片であって電磁波遮断部である凸部１５ａ，１５ｂが設けられる。
【００２２】
図５（ｂ）は、ディスプレイ１３が移動してディスプレイ１３の背面１６がナビゲーション本体１２の前面１７に対向する位置に配置された状態を示す図である。開口部４ａ，４ｂは、ディスプレイ１３の背面１６に形成された凸部１５ａ，１５ｂによって開口部４ａ，４ｂの１部分が覆われる。図５（ｃ）は、開口部４ａ，４ｂが凸部１５ａ，１５ｂによって覆われる開口部４ａ，４ｂ周辺の領域を示す図である。凸部１５ａ，１５ｂの表面１８ａ，１８ｂの周縁部が、開口部４ａ，４ｂの上部および下部の領域に当接することによって開口部４ａ，４ｂは、開口部４ａ１，４ａ２および４ｂ１，４ｂ２に分割される。
【００２３】
開口部４ａ１，４ａ２および４ｂ１，４ｂ２の開口長さは、開口部４ａ，４ｂの開口長さよりも短くなるので、開口部から放射される電磁波の周波数帯域は、凸部１５ａ，１５ｂによって覆われない状態の開口部４ａ，４ｂから放射される電磁波の周波数帯域よりも高くなる。ナビゲーション装置１１が搭載されるダッシュボードの上部のガラス部等に設置されたフィルムアンテナが受信する電磁波の周波数帯域をラジオ放送あるいはテレビジョン放送の周波数帯域よりも高い帯域とすることができるので、ラジオ放送あるいはテレビジョン放送の受信状態が悪くなることを防止することができる。
【００２４】
凸部１５ａおよび１５ｂは、開口部４ａ，４ｂの長手方向中央部に当接しているが、これに限定されるものではない。凸部１５ａおよび１５ｂが当接する開口部４ａ，４ｂの位置を変えることによって、開口部４ａ１，４ａ２および４ｂ１，４ｂ２から放射される電磁波の周波数帯域を変えることができる。
【００２５】
図６は、本発明の実施の第３の形態であるナビゲーション装置２１を説明するための概略図である。図４について説明した部分と重複する部分については説明を省略する。図６（ａ）は、ディスプレイ２３がナビゲーション本体２２の前面側下部に移動した状態を示す図である。図６（ｂ）は、ディスプレイ２３が移動してディスプレイ２３の背面１６がナビゲーション本体２２の前面２７に対向する位置に配置された状態を示す図である。電磁波遮断部であるディスプレイ２３の背面２６は、ディスプレイ２３がナビゲーション本体２２の前面２７に対向する位置に配置された状態で、ナビゲーション本体２２の下方側に傾斜する。
【００２６】
ナビゲーション本体２２の内部に配置された図示しないオーディオ機器と記録媒体の再生装置とを含む電子機器から発生する電磁波は、ナビゲーション本体２２の前面２７に設けられた開口部４ａ，４ｂから外部に放射される。外部に放射された電磁波は、ナビゲーション本体２２の下方側に傾斜するディスプレイ２３の背面２６で反射して、ナビゲーション本体２２の下方側に放射される。ナビゲーション装置２１の図示しないフィルムアンテナは、ナビゲーション装置２１が搭載されるダッシュボードの上部のガラス部等に設置されるので、フィルムアンテナがナビゲーション本体２２から放射される電磁波を受信することを防止することができる。背面２６の傾斜角度は、図６（ｂ）に示したものに限定されるものではなく、ナビゲーション本体２２から放射される電磁波がナビゲーション本体２２の下方側に反射されるものであれば良い。
【００２７】
図７は、本発明の実施の第４の形態であるナビゲーション３１を説明するための概略図である。図４について説明した部分と重複する部分については説明を省略する。図７（ａ）は、ディスプレイ３３がナビゲーション本体３２の前面側下部に移動した状態を示す図である。図７（ｂ）は、ディスプレイ３３が移動してディスプレイ３３の背面３６がナビゲーション本体３２の前面３７に対向する位置に配置された状態を示す図である。ディスプレイ３３の背面３６がナビゲーション本体３２の前面３７に対向する位置に配置された状態で、背面３６の上端部には、電磁波遮断部であり傾斜部である下方側に傾斜した傾斜面３８が形成される。傾斜面３８は、背面３６を基準として４５°の角度で下方に傾いているが、これに限定されるものではない。傾斜面３８の傾斜角は、ナビゲーション本体３２の上方に放射される電磁波を下方に反射するものであればよい。
【００２８】
ナビゲーション本体３２の内部に配置された図示しないオーディオ機器と記録媒体の再生装置とを含む電子機器から発生する電磁波は、ナビゲーション本体３２の前面３７に設けられた開口部４ａ，４ｂからナビゲーション本体３２の外部に放射される。ナビゲーション本体３２の外部に放射され上方に向かう電磁波は、傾斜面３８で反射してナビゲーション本体３２の下方側に放射される。ナビゲーション装置３１の図示しないフィルムアンテナは、ナビゲーション装置３１が搭載されるダッシュボードの上部のガラス部等に設置されるので、フィルムアンテナがナビゲーション本体３２から放射される電磁波を受信することを防止することができる。
【００２９】
図８は、本発明の実施の第５の形態であるナビゲーション４１を説明するための概略図である。図４について説明した部分と重複する部分については説明を省略する。図８（ａ）は、ナビゲーション本体４２の前面４７にＩＴＯ(Indium Tin Oxide)フィルム４８が貼付される前の状態を示す図である。ナビゲーション本体４２の前面４７には、ＣＤ，ＤＶＤまたはＭＤ(Mini disc)デッキ本体の開口部４４ａ，４４ｂが設けられ、開口部４４ａ，４４ｂの周囲を囲むように前面パネル４５が設置される。
【００３０】
前面パネル４５には、導電性金属が用いられるので電磁波を反射することができる。しかし、開口部４４ａ，４４ｂと前面パネル４５との間には隙間４６が生じており、ナビゲーション本体４２の内部に配置された図示しないオーディオ機器と記録媒体の再生装置とを含む電子機器から発生する電磁波は、開口部４４ａ，４４ｂと前面パネル４５との間の隙間４６から、ナビゲーション本体４２の外部へ放射される。隙間４６が樹脂カバーで覆われている場合においても同様に電磁波は放射される。
【００３１】
図８（ｂ）は、ナビゲーション本体４２の前面４７にＩＴＯフィルム４８が貼付された後の状態を示す図である。ナビゲーション本体４２の前面４７には、ＣＤ，ＤＶＤまたはＭＤの開口部を残してＩＴＯフィルム４８が貼付される。反射部であるＩＴＯフィルム４８は、酸化インジウム錫が用いられており、電磁波を反射することができる。したがって、ナビゲーション本体４２の内部に配置された図示しないオーディオ機器と記録媒体の再生装置とを含む電子機器から発生する電磁波が、ナビゲーション本体４２の隙間４６あるいは樹脂カバーを通ってナビゲーション本体４２の外部へ放射されることを防止することができる。
【００３２】
このように、ナビゲーション装置１は、記録媒体が挿排される開口部４ａ，４ｂを有するとともに、開口部４ａ，４ｂに挿入された記録媒体を再生するナビゲーション本体２と、ナビゲーション本体２からの再生出力を表示するディスプレイ３とを備え、アンテナの直下部に配置される。ディスプレイ３は、ナビゲーション本体２の再生状態において、ナビゲーション本体２の開口部４ａ，４ｂに当接して開口部４ａ，４ｂからの電磁波の漏れを遮断する凸部５ａ，５ｂを備えているので、ナビゲーション本体２から放射される電磁波が、ガラス部等に設置されたアンテナによって受信されることを防止することができる。
【００３３】
さらに、ナビゲーション本体４２の開口部４ａ，４ｂが形成される前面４７には、ＣＤ，ＤＶＤまたはＭＤの開口部を残して、ナビゲーション本体４２内からの電磁波を反射するＩＴＯフィルムが貼付されるので、ナビゲーション本体４２の内部に配置された図示しないオーディオ機器と記録媒体の再生装置とを含む電子機器から発生する電磁波が、ナビゲーション本体４２の隙間４６あるいは樹脂カバーを通ってナビゲーション本体４２の外部へ放射されることを防止することができる。
【符号の説明】
【００３４】
１，１１，２１，３１，４１，７１  ナビゲーション装置
２，１２，２２，３２，４２，７２  ナビゲーション本体
３，１３，２３，３３，４３，７３  ディスプレイ
４ａ，４ｂ，４ａ１，４ａ２，４ｂ１，４ｂ２，４４ａ，４４ｂ，７４ａ，７４ｂ  開口部
５ａ，５ｂ，１５ａ，１５ｂ  凸部
６，１６，２６，３６  背面
７，１７，２７，３７，４７，７７  前面
８ａ，８ｂ，１８ａ，１８ｂ  表面
９  表示面
３８  傾斜面
４５  前面パネル
４６  隙間
４８  ＩＴＯフィルム
７８  金属板
９０  車両
９１  ダッシュボード
９２  フロントガラス
【図１】
2010241355.tif 000003
【図２】
2010241355.tif 000004
【図３】
2010241355.tif 000005
【図４】
2010241355.tif 000006
【図５】
2010241355.tif 000007
【図６】
2010241355.tif 000008
【図７】
2010241355.tif 000009
【図８】
2010241355.tif 000010